(57)【特許請求の範囲】
【請求項１】
揉みほぐした紙片の複数枚を圧接重合して撚りのかかった不定形の立体形に成形してなる家畜敷料
【請求項２】
揉みほぐした紙片の複数枚を圧接重合して撚りをかけた複数の不定形立体成形物を互いに絡まらせてなる家畜敷料
【請求項３】
脱臭剤及び／又は殺菌剤を添加してなる請求項１又は２記載の家畜敷料
【請求項４】
一側に紙片を主体とする敷料材料の投入口を有し、他側に敷料成品排出口を有する筒状処理槽と、回転軸体に沿って圧送スクリューと揉みほぐし用羽根と撚りかけ羽根を固定した一対の回転体を具備し、前記一対の回転体は、相互の撚りかけ羽根が回転中に一部重なり合うようにして平行且つ同方向回転可能に前記処理槽内に配設されており、前記各回転体の撚りかけ羽根は、回転中に重なり合う相互の羽根ユニットが互いに逆方向へ回動しながら徐々に接近する羽根面を有し、回転中の相互の羽根ユニット間に巻き込まれた敷料材料を互いに逆方向から圧接しながら摺り合せて撚りをかける構造になっていることを特徴とする家畜等の敷料製造装置
【発明の詳細な説明】
【０００１】
【発明の属する技術分野】
本発明は畜舎に敷設する敷料に関し、特に牛の敷料として有用な敷料及びその製造装置に関する。
【０００２】
【発明の技術的背景】
牛、馬等の家畜の畜舎に使用する敷料は、従来、稲藁、麦稈、牧草等の農業廃材で賄われてきたが、農業形態の変化によりこれらの資材の入手が困難となったことから、以前は堆肥にしたときの分解が困難なために使用されなかった木質等のオガ屑、チップ、バーク（樹皮）などが使用されるようになった。
ところが、最近はこれらの資材が激減し、入手難から床敷ゴムマットなど敷料を使用しない方式が採用され始めたが、糞尿がたれ流しになるため浄化槽の能力オーバーとなり、処理しきれないものを畑や牧草地に直接散布するようになり、このため、悪臭、病原菌、水の汚染等の問題が発生し、全面禁止となった。このような状況から、新しい敷料の開発が必要となっている。
【０００３】
一般に敷料に必要な条件としては次のようなものが挙げられる。
１．糞を捕捉し、尿（水分）を流し出して清潔さを保つこと。
２．保温性があること。
３．家畜の足や皮膚にやさしく、床ズレ、滑りのない安全なものであること。
４．使用後は堆肥として利用できる資材であること。
近年、紙の廃材が多量に発生しているところから、上記資材に代えて紙の廃材を敷料の資材として利用することが試みられている。
【０００４】
【発明が解決しようとする課題】
紙を材料とする敷料は、（１）原料が豊富で入手しやすい、（２）安全で吸収性に富む、（３）使用後、堆肥にするのに問題がない、などの利点があり、有望視されているものであるが、紙という柔らかい資材であるため、強度、剛性に欠け、特に、牛の畜舎の敷料としては難点があった。
【０００５】
すなわち、立っていることが常態の馬や体重の軽い小動物の敷料としては強度や剛性はさほど問題ではなく、むしろ柔らかいことが必要な場合が多いが、牛は横に伏すことが多く、また、反芻動物であることから、排泄物が高水分で、特に乳牛等は乳の生産性向上の面から、多量の水と濃厚飼料を与えるため尿の量が多い。従って、水分が多いところで重く図体の大きな牛の体重がかかると、従来の紙製敷料はゴムマットのように平らに固まってしまい、清潔性、保温性、安全性など、敷料として必要な機能が短期間で失われてしまう。特に、清潔性の低下したところに長く横たわると乳房炎などの原因になる。
【０００６】
従って、本発明の第１の目的は、紙の廃材を主たる原料とし、しかも、牛の敷料としての使用に耐えうる強度を備えた敷料を提供することにある。
【０００７】
本発明の第２の目的は、消臭性、殺菌性を付与した上記敷料を提供することにある。
【０００８】
本発明の第３の目的は、上記敷料を製造する装置を提供することにある。
【０００９】
【課題を解決するための手段】
上記第１の目的を達成するために、本発明の敷料は、揉みほぐした紙片の複数枚を圧接重合して撚りのかかった不定形の立体形に成形したことを特徴とする。
本発明の敷料は、また、揉みほぐした紙片の複数枚を圧接重合して撚りをかけた複数の不定形立体成形物を互いに絡まらせたものであってもよい。
【００１０】
上記第２の目的を達成するために、本発明の敷料は、上記の敷料に、脱臭剤、及び／又は殺菌剤を添加したことを特徴とする。
【００１１】
上記第３の目的を達成するために、本発明の敷料製造装置は、一側に紙片を主体とする敷料材料の投入口を有し、他側に敷料成品排出口を有する筒状処理槽と、回転軸体に沿って圧送スクリューと揉みほぐし用羽根と撚りかけ羽根を固定した一対の回転体を具備し、前記一対の回転体は、相互の撚りかけ羽根が回転中に一部重なり合うようにして平行且つ同方向回転可能に処理槽内に配設されており、前記各回転体の撚りかけ羽根は、回転中に重なり合う相互の羽根ユニットが互いに逆方向へ回動しながら徐々に接近する羽根面を有し、回転中の相互の羽根ユニット間に巻き込まれた敷料材料を互いに逆方向から圧接しながら摺り合せて撚りをかける構造になっていることを特徴とする。
【００１２】
【発明の実施の形態】
本発明の敷料１は、揉み込んだ紙片の複数枚を圧接重合して撚りのかかった不定形の立体形２に成形してなるもの、及びこれらの成形品が絡み合ったもので、以下のようにして加工する。
先ず、紙成品を裁断するときに生ずる端切れや、各種古紙などの紙廃材を縦、横２〜６ｃｍ程度の不定形、不揃いの紙片に破砕し、これらをよく揉み、柔らかにすることにより、強度を出し水分の吸収を良くするとともに、撚りがかかり易くする。
次いで、これらの紙の複数枚（好ましくは３〜１０）を一緒にして撚りを掛ける．図５〜図６は本発明による敷料製品の一例を示すものである。
【００１３】
このように紙片を揉み込むことで強度、吸水性を高めるとともに、これらを圧接重合して撚ることにより、強度、剛性が著しく増加し、簡単に潰れず且つ復元力のあるものになる。
また、このような加工と形状にした敷料は、互いにからみ易くなり、滑りや床の露出を防ぐとともに、空間ができることにより、保温効果が高まり、糞が捕捉され尿が流れ易い「簀の子」作用が働く。
【００１４】
次に、本発明の敷料製造装置について説明する。
図１乃至図２に示すように、敷料製造装置３は一側に敷料材料の投入口４を有し、他側に敷料成品の排出口５を有する筒状の処理槽６内に、一対の回転体Ａ、Ｂを平行且つ回転可能に配設してある。
【００１５】
各々の回転体Ａ、Ｂは回転軸１０ａ、１０ｂの基端側から先端側に沿って、圧送スクリュー７ａ、７ｂと揉みほぐし羽根８ａ、８ｂと撚りかけ羽根９ａ、９ｂを固定してあり、相互に向き合う撚りかけ羽根９ａ、９ｂが回転中に一部重なり合うようにして、平行且つ同方向回転可能に配設されている。
図の実施例では一方の回転体Ａの回転軸１０ａをモータ１１で回転するとともに、双方の回転軸１０ａ、１０ｂ間にチェーン１２をかけ渡し、回転体Ａ、Ｂが同方向へ回転するようにしている。
【００１６】
各々の回転体Ａ、Ｂの圧送スクリュー７ａ、７ｂは投入口４から投入された紙原料を排出口５側に圧送するものである。
揉みほぐし羽根８ａ、８ｂは回転軸１０ａ、１０ｂに適宜の巾でランダムに固定されており、送られてくる紙片を混合、裁断、撹拌して紙片を揉みほぐしながら、撚りかけ羽根９ａ、９ｂの方へ送り出す。
【００１７】
撚りかけ羽根９ａ、９ｂは、前記のように回転体Ａ、Ｂ相互の羽根が回転中に重なり合うように配設されているとともに、一対の回転体Ａ、Ｂは同方向へ回転するようになっているので、撚りかけ羽根９ａ、９ｂは重なり合う位置では互いに逆方向へ回動し、摺れ違うようになっている。
また、相互の撚りかけ羽根９ａ、９ｂは、回転中に重なり合う羽根面を扇形に形成してあり、相対する羽根面が互いに逆方向へ回動しながら徐々に接近する角度で取付けられており、これにより、回転中に重なり合う相互の９ａ、９ｂの羽根面間に巻き込まれた複数枚の紙片を圧接しながら互いに逆方向へ摺り合わせ、撚りをかける構造になっている。
尚、図中、参照番号１３は敷料成品の排出口５を開閉する出口ゲート、１４は敷料成品を逆方向に押し戻して排出口５から出易くする逆送羽根である。
【００１８】
次に、本発明による敷料製造装置の作用を説明する。
処理槽６の投入口４から導入された紙を主材とする敷料材料は圧送スクリュー７ａ、７ｂにより送り出され、揉みほぐし羽根８ａ、８ｂで、混合、裁断されながら揉まれる。揉みほぐしにより、しなやかさと強度が付与された紙片は撚りかけ羽根９ａ、９ｂへ送り出される。
【００１９】
逆方向へ回動しながら重なり合う相互の撚りかけ羽根９ａ、９ｂは、羽根面が逆方向へ回動するに従って、徐々に接近する角度で取付けられているので、回転中に重なり合う羽根９ａ、９ｂの羽根面間に巻き込まれた紙片は複数枚重なり合って圧接されながら互いに逆方向へ摺り合わされ、強い撚りがかけられるとともに、互いに絡まりあって図５〜図６のようなねじれた不定形の立体形敷料に形成される。
この敷料は撚りかけにより、強度と弾力的な復元性が付与され、また、撚りがかかっているので互いに絡み付き易い形状になっている。
【００２０】
本発明の敷料は消臭剤や殺菌剤を添加してもよい。この場合は、木酢酸を使用すると消臭、殺菌の両方に作用する。これらの消臭剤、殺菌剤は、材料の紙片に付与してもよく、敷料の半成品あるいは完成品に付与してもよい。
【００２１】
【効果】
本発明の畜産敷料は廃紙を主たる原料とするので材料入手の容易性、清潔性、安全性、堆肥としての利用といった、敷料としての利点を享有できることはもちろんであるが、特に、撚りをかけてあることにより強度と弾力的な復元性が著しく増大するとともに、互いに絡み易くなる。従って、清潔性、保温性、糞尿の分別性（簀の子作用）が長期間にわたって維持されるので、特に、牛の敷料としての利用価値は絶大である。
【００２２】
強度と弾力性が増大したことにより、牛の敷料として使用したときの清潔性が長く保持されることによって乳牛等の乳房炎等の予防の問題も解消することができる。
【００２３】
敷料に脱臭剤や殺菌剤を添加することにより、悪臭を防ぎ、病原菌による病廃を予防することができる。
【００２４】
本発明の敷料製造装置は、処理槽内に撚りかけ羽根が設けられていることにより、強度のある上記敷料を、効率良く大量生産することができるので、紙を材料とするこれからの敷料生産にきわめて有用である。
【図面の簡単な説明】
【図１】  敷料製造装置の処理槽内部構造の概略を示す斜視図
【図２】  敷料製造装置の内部側面図
【図３】  撚りかけ羽根の取付け・作用説明図
【図４】  撚りかけ羽根の取付け・作用説明図
【図５】  敷料の一実施形態を示す斜視図
【図６】  敷料の一実施形態を示す斜視図
【符号の説明】
１…敷料
２…圧接重合紙片
３…敷料製造装置
４…材料投入口
５…成品排出口
６…処理槽
７ａ、７ｂ…圧送スクリュー
８ａ、８ｂ…揉みほぐし羽根
９ａ、９ｂ…撚りかけ羽根
１０ａ、１０ｂ…回転軸
１１…モータ
１２…チェーン
１３…出口ゲート
１４…逆送羽根
【整理番号】ＰＡＳ９９００１
【図１】
0004060479.tif 000002
【図２】
0004060479.tif 000003
【図３】
0004060479.tif 000004
【図４】
0004060479.tif 000005
【図５】
0004060479.tif 000006
【図６】
0004060479.tif 000007